【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
遊技球が流入し得る始動入賞口と、
遊技球が入賞し易い開状態と入賞し難い閉状態を採り得る可変入賞口と、
第一識別情報を変動表示及び停止表示可能な第一識別情報表示部と、
第二識別情報を変動表示及び停止表示可能な第二識別情報表示部と、
現在の遊技状態が、特別遊技の移行決定確率が所定確率である低確率抽選状態及び低確率抽選状態よりも前記移行決定確率が高い高確率抽選状態のいずれであるかを報知可能な遊技状態報知部と
を有し、第一識別情報の表示及び特別遊技の実行を制御する主制御装置と第二識別情報の表示及び遊技状態報知を制御する表示制御装置とを更に備えたパチンコ遊技機であって、
主制御装置は、
始動入賞口への遊技球の流入に基づき、遊技内容決定乱数を取得する乱数取得手段と、
遊技内容決定乱数に基づき、第一識別情報の変動態様と停止第一識別情報を決定する第一識別情報表示内容決定手段と、
第一識別情報表示内容決定手段による前記決定内容を受けて、第一識別情報表示部上に第一識別情報を前記変動態様に従い変動表示した後に停止第一識別情報を表示するよう制御する第一識別情報表示制御手段と、
停止第一識別情報が所定態様である場合、可変入賞口を遊技者に有利な状態へと可変する特別遊技への移行を決定する特別遊技移行判定手段と、
特別遊技の移行契機となった前記所定態様に基づき、特別遊技終了後に前記高確率抽選状態及び前記低確率抽選状態のいずれの遊技状態に移行するかを決定し、当該決定に基づき遊技状態を移行させる処理を行うための特別遊技後遊技状態移行決定実行手段と
を有しており、
表示制御装置は、
第一識別情報表示内容決定手段による決定内容に基づき、第二識別情報の停止第二識別情報を決定する第二識別情報表示内容決定手段と、
第二識別情報表示内容決定手段による前記決定内容を受けて、第二識別情報表示部上に第二識別情報の前記変動態様に従い変動表示した後に停止第二識別情報を表示するよう制御する第二識別情報表示制御手段と、
特別遊技後遊技状態移行決定実行手段により決定された特別遊技後の遊技状態を、遊技状態報知部を通じて遊技者に報知する遊技状態報知制御手段と
を有するパチンコ遊技機であって、前記特別遊技として、第一特別遊技と、第一特別遊技と比較して可変入賞口の総開状態時間が短い第二特別遊技とを実現可能なパチンコ遊技機において、
特別遊技後遊技状態移行決定実行手段は、前記所定態様が第一特定態様であることを契機として実行された第二特別遊技後には前記高確率抽選状態となるよう制御し、前記所定態様が第二特定態様であることを契機として実行された第二特別遊技後には当該第二特別遊技前の遊技状態が維持されるよう制御し、
遊技状態報知制御手段は、
特別遊技終了後、第一識別情報表示部で第一識別情報の変動表示が何回行われたのかを記録するカウンタ
を更に有しており、
遊技状態報知制御手段は、第二特別遊技後の遊技状態が前記高確率抽選状態である場合には、カウンタに記録された、特別遊技終了後における第一識別情報の変動表示の回数が所定回数に到達するまでは遊技状態の報知を強制的に禁止する一方、第二特別遊技後の遊技状態が前記低確率抽選状態である場合には、前記所定回数に到達する前に抽選を実行し、抽選に当選した場合には遊技状態の報知を実行する
ことを特徴とするパチンコ遊技機。
【手続補正２】
【補正対象書類名】明細書
【補正対象項目名】０００６
【補正方法】変更
【補正の内容】
【０００６】
本発明は、
遊技球が流入し得る始動入賞口と、
遊技球が入賞し易い開状態と入賞し難い閉状態を採り得る可変入賞口と、
第一識別情報を変動表示及び停止表示可能な第一識別情報表示部と、
第二識別情報を変動表示及び停止表示可能な第二識別情報表示部と、
現在の遊技状態が、特別遊技の移行決定確率が所定確率である低確率抽選状態及び低確率抽選状態よりも前記移行決定確率が高い高確率抽選状態のいずれであるかを報知可能な遊技状態報知部と
を有し、第一識別情報の表示及び特別遊技の実行を制御する主制御装置と第二識別情報の表示及び遊技状態報知を制御する表示制御装置とを更に備えたパチンコ遊技機であって、
主制御装置は、
始動入賞口への遊技球の流入に基づき、遊技内容決定乱数を取得する乱数取得手段と、
遊技内容決定乱数に基づき、第一識別情報の変動態様と停止第一識別情報を決定する第一識別情報表示内容決定手段と、
第一識別情報表示内容決定手段による前記決定内容を受けて、第一識別情報表示部上に第一識別情報を前記変動態様に従い変動表示した後に停止第一識別情報を表示するよう制御する第一識別情報表示制御手段と、
停止第一識別情報が所定態様である場合、可変入賞口を遊技者に有利な状態へと可変する特別遊技への移行を決定する特別遊技移行判定手段と、
特別遊技の移行契機となった前記所定態様に基づき、特別遊技終了後に前記高確率抽選状態及び前記低確率抽選状態のいずれの遊技状態に移行するかを決定し、当該決定に基づき遊技状態を移行させる処理を行うための特別遊技後遊技状態移行決定実行手段と
を有しており、
表示制御装置は、
第一識別情報表示内容決定手段による決定内容に基づき、第二識別情報の停止第二識別情報を決定する第二識別情報表示内容決定手段と、
第二識別情報表示内容決定手段による前記決定内容を受けて、第二識別情報表示部上に第二識別情報の前記変動態様に従い変動表示した後に停止第二識別情報を表示するよう制御する第二識別情報表示制御手段と、
特別遊技後遊技状態移行決定実行手段により決定された特別遊技後の遊技状態を、遊技状態報知部を通じて遊技者に報知する遊技状態報知制御手段と
を有するパチンコ遊技機であって、前記特別遊技として、第一特別遊技と、第一特別遊技と比較して可変入賞口の総開状態時間が短い第二特別遊技とを実現可能なパチンコ遊技機において、
特別遊技後遊技状態移行決定実行手段は、前記所定態様が第一特定態様であることを契機として実行された第二特別遊技後には前記高確率抽選状態に移行し、前記所定態様が第二特定態様であることを契機として実行された第二特別遊技後には当該第二特別遊技前の遊技状態を維持するよう制御し、
遊技状態報知制御手段は、
特別遊技終了後、第一識別情報表示部で第一識別情報の変動表示が何回行われたのかを記録するカウンタ
を更に有しており、
遊技状態報知制御手段は、第二特別遊技後の遊技状態が前記高確率抽選状態である場合には、カウンタに記録された、特別遊技終了後における第一識別情報の変動表示の回数が所定回数に到達するまでは遊技状態の報知を強制的に禁止する一方、第二特別遊技後の遊技状態が前記低確率抽選状態である場合には、前記所定回数に到達する前に抽選を実行し、抽選に当選した場合には遊技状態の報知を実行する
ことを特徴とするパチンコ遊技機である。
また、本発明の具体例は下記の通りである。
本発明（１）は、遊技者にとって有利な特別遊技への移行に関係する、遊技球が入賞し得る通常状態と前記通常状態よりも入賞し易い開放状態とに可変し得る第一可変入賞口（始動入賞口１１）と、
前記第一可変入賞口（始動入賞口１１）の前記可変動作に関係する始動入賞口（普通図柄始動入賞口１３）と、
前記始動入賞口（普通図柄始動入賞口１３）への遊技球の流入に基づき、第一乱数を取得する第一乱数取得手段（乱数取得判定実行手段１３２）と、
第一識別情報（普通図柄）を変動表示及び停止表示可能な第一識別情報表示部（普通図柄表示部１４ｃ）と、
前記第一乱数に基づき、前記第一識別情報（普通図柄）の変動時間と停止第一識別情報（停止普通図柄）を決定する第一識別情報表示内容決定手段（普通電動役物開閉決定実行手段１３０）と、
前記第一識別情報表示内容決定手段（普通電動役物開閉決定実行手段１３０）による前記決定内容を受けて、前記第一識別情報表示部（普通図柄表示部１４ｃ）上で第一識別情報（普通図柄）を前記時間変動表示した後に停止第一識別情報（停止普通図柄）を表示するよう制御する第一識別情報表示制御手段（普通図柄表示制御手段１４０）と、
前記第一停止識別情報（停止普通図柄）が特定態様である場合、前記第一可変入賞口（始動入賞口１１）を所定条件下で開放状態とする第一可変入賞口状態移行判定実行手段（普通電動役物開閉決定実行手段１３０）と、
前記第一可変入賞口（始動入賞口１１）が開放状態となり易い易開放状態及び前記易開放状態よりも前記第一可変入賞口が開放状態となり難い非易開放状態のいずれの状態にするかを決定する、第一可変入賞口状態移行決定手段（普通電動役物開放状態移行決定手段１６２）と、
前記特別遊技に関係する、遊技球が入賞し易い開状態と入賞し難い閉状態を採り得る第二可変入賞口（大入賞口１２）と、
第二識別情報（特別図柄）を変動表示及び停止表示可能な第二識別情報表示部（特別図柄表示部１４ａ）と、
前記第一可変入賞口（始動入賞口１１）への遊技球の流入に基づき、第二乱数を取得する第二乱数取得手段（乱数取得判定実行手段１１２）と、
前記第二乱数に基づき、前記第二識別情報（特別図柄）の変動態様と停止第二識別情報（停止特別図柄）を決定する第二識別情報表示内容決定手段（図柄内容決定手段１１４）と、
前記第二識別情報表示内容決定手段（図柄内容決定手段１１４）による決定内容を受けて、前記第二識別情報表示部（特別図柄表示部１４ａ）上で第二識別情報（特別図柄）を前記変動態様に従い変動表示した後に停止第二識別情報（停止特別図柄）を表示するよう制御する第二識別情報表示制御手段（特別図柄表示制御手段１２０）と、
前記停止第二識別情報（停止特別図柄）が所定態様であるか否かを判定し、前記所定態様である場合、前記第二可変入賞口（大入賞口１２）を遊技者に有利な状態へと可変する特別遊技への移行を決定する特別遊技移行判定手段（特別遊技移行判定実行手段１８０）と、
前記所定態様に基づき、特別遊技の内容を決定する特別遊技内容決定手段（特別遊技内容決定手段１６３）と、
当該特別遊技終了後に前記第二乱数に基づく前記特別遊技の移行決定確率が高い高確率抽選状態及び前記第一状態よりも低い移行決定確率である低確率抽選状態のいずれの状態にするかを決定する、抽選確率状態移行決定手段（抽選確率状態移行決定実行手段１６１）と、
前記特別遊技内容決定手段（特別遊技内容決定手段１６３）により決定された前記特別遊技を実行する特別遊技実行手段（特別遊技移行判定実行手段１８０）と
を有するパチンコ遊技機において、
前記特別遊技内容決定手段（特別遊技内容決定手段１６３）は、
前記所定態様が第一態様及び第二態様である場合には、前記有利な状態が所定期間継続する第一特別遊技への移行決定を行う一方、前記所定態様が第三態様及び第四態様である場合には、前記有利な状態が前記第一特別遊技よりも短い期間継続する第二特別遊技への移行決定を行い、
前記抽選確率状態移行決定手段（抽選確率状態移行決定実行手段１６１）は、
前記所定態様が第一態様及び第三態様である場合には、当該特別遊技終了後に前記第二乱数に基づく前記特別遊技の移行決定確率が高い高確率抽選状態に移行することを決定する一方、前記所定態様が第二態様及び第四態様である場合には、前記第一状態よりも低い移行決定確率である低確率抽選状態に移行することを決定し、
前記第一可変入賞口状態移行決定手段（普通電動役物開放状態移行決定手段１６２）は、
前記所定態様が第一態様及び第三態様である場合には、当該特別遊技終了後に前記第一可変入賞口が開放状態となり易い易開放状態に移行することを決定する一方、前記所定態様が第四態様である場合には、当該特別遊技終了後に所定回数だけ前記易開放状態に滞在した後、前記易開放状態よりも前記第一可変入賞口が開放状態となり難い非易開放状態になる回数制限付易開放状態に移行することを決定する
ことを特徴とするパチンコ遊技機である。